(57)【要約】【課題】より視認性および訴求効果が高く、商品への取付け作業性および取外し作業性に優れ、必要な情報量を表示可能であって、製造にあたって無駄になる部分がない商品情報表示用取付け資材およびその取付け方法を提供すること。【解決手段】資材本体２１には、取付け用開口部２３を開口形成可能な開口部用切り目２２と、開口部用切り目２２に連続して延びて連続開口部２６を開口形成可能な連続支持領域用切り目２５と、を形成するとともに、開口部用切り目２２により取付け用開口部２３の内方部に画成される表示用自由揺動領域２４と、連続支持領域用切り目２５により連続開口部２６の内方部に画成される連続支持領域２７と、連続支持領域２７を資材本体２１に一体的に接続可能な接続部２８と、を有することを特徴とする。【選択図】図１
2012215607.tif 000002
【特許請求の範囲】
【請求項１】
商品の商品情報を表示する平面状の資材本体を有し、
この商品の取付け部に取り付けることができるようにする取付け用開口部により、この商品に取り付けられる商品情報表示用取付け資材であって、
前記資材本体には、
前記取付け用開口部を開口形成可能な開口部用切り目と、
この開口部用切り目に連続して延びて連続開口部を開口形成可能な連続支持領域用切り目と、を形成するとともに、
前記開口部用切り目により前記取付け用開口部の内方部に画成される表示用自由揺動領域と、
前記連続支持領域用切り目により前記連続開口部の内方部に画成される連続支持領域と、
この連続支持領域を前記資材本体に一体的に接続可能な接続部と、
を有することを特徴とする商品情報表示用取付け資材。
【請求項２】
前記資材本体とともに前記表示用自由揺動領域にも前記商品情報を表示可能としていることを特徴とする請求項１記載の商品情報表示用取付け資材。
【請求項３】
前記資材本体は、これを折り曲げ可能としてあることを特徴とする請求項１または２記載の商品情報表示用取付け資材。
【請求項４】
前記開口部用切り目は、その始端から終端までの間に一連にこれを形成しているとともに、
前記連続支持領域用切り目は、この始端および終端において前記開口部用切り目と連続していることを特徴とする請求項１ないし３のいずれかに記載の商品情報表示用取付け資材。
【請求項５】
前記接続部は、前記連続支持領域用切り目の第１の終端から第２の終端までの間にこれを形成していることを特徴とする請求項１ないし４のいずれかに記載の商品情報表示用取付け資材。
【請求項６】
前記接続部は、前記資材本体の剛性により前記連続支持領域を介して前記表示用自由揺動領域を支持可能であることを特徴とする請求項１ないし５のいずれかに記載の商品情報表示用取付け資材。
【請求項７】
当該商品情報表示用取付け資材を前記商品の前記取付け部に取り付けたときに、前記表示用自由揺動領域が前記連続支持領域により前記商品に対して離反して揺動可能な状態にこれを位置させることが可能であることを特徴とする請求項１ないし６のいずれかに記載の商品情報表示用取付け資材。
【請求項８】
前記表示用自由揺動領域は、その裏面側に前記商品情報を表示可能としていることを特徴とする請求項１ないし７のいずれかに記載の商品情報表示用取付け資材。
【請求項９】
当該商品情報表示用取付け資材を単葉の資材片として複数枚連続して帯状に形成していることを特徴とする請求項１ないし８のいずれかに記載の商品情報表示用取付け資材。
【請求項１０】
商品の商品情報を表示する平面状の資材本体を有し、
この商品の取付け部に取り付けることができるようにする取付け用開口部により、この商品に取り付けられる商品情報表示用取付け資材の取付け方法であって、
前記資材本体には、
前記取付け用開口部を開口形成可能な開口部用切り目と、
この開口部用切り目に連続して延びて連続開口部を開口形成可能な連続支持領域用切り目と、を形成し、
前記開口部用切り目により前記取付け用開口部の内方部に画成される表示用自由揺動領域と、
前記連続支持領域用切り目により前記連続開口部の内方部に画成される連続支持領域と、
この連続支持領域を前記資材本体に一体的に接続可能な接続部と、
を形成し、
前記取付け用開口部を前記商品の前記取付け部に取り付けるとともに、
前記接続部が、前記資材本体の剛性により前記連続支持領域を介して前記表示用自由揺動領域を前記商品から離した状態で支持可能とすることを特徴とする商品情報表示用取付け資材の取付け方法。
【発明の詳細な説明】
【技術分野】
【０００１】
本発明は商品情報表示用取付け資材およびその取付け方法にかかるもので、とくに商品の販促情報を含む商品情報の表示用として商品に取り付けられる商品情報表示用取付け資材およびその取付け方法に関するものである。
【背景技術】
【０００２】
従来から、各種商品の販売促進用として、販促情報を表示した、いわゆるキャンペーンシール、ポップラベルやシールその他の資材が工夫されており、店頭の陳列商品に取り付けられている。これらの資材は、販促情報に限らず、商品の取扱いや処理に関する各種の情報を表示するために用いられる場合もある。
このような販促情報を含む商品情報の表示用として商品に取り付けられる商品情報表示用取付け資材について、図６ないし図８にもとづき概説する。
【０００３】
図６は、通称「アイキャッチシール」と呼ばれる販促用シール１（商品情報表示用取付け資材）を商品Ｍに取り付けた状態を示す斜視図であって、販促用シール１は、裏面側に糊面を有する細長矩形状の貼付け領域２と、貼付け領域２に連続して販促情報を表示する円形ないし楕円形状の情報表示領域３と、を有する。
情報表示領域３には、その裏面側に糊面を形成しないか、糊面上にフィルムを貼る処理あるいは糊面を不活性化する処理などを施している。
【０００４】
こうした構成の販促用シール１は、貼付け領域２を商品Ｍの所定部分（たとえば図示の例では商品Ｍの胴体Ｍ１）に貼り付けることにより情報表示領域３を商品Ｍの首部Ｍ２から離した状態で起立位置可能とし、商品Ｍの陳列について視認性および訴求効果を期待している。
しかしながら、情報表示領域３が商品Ｍに近く位置しているとともに、このような構成がやや定番化ないしは陳腐化しているためにその販促効果が低下しているという問題がある。
さらに、貼付け領域２の部分からはがれ落ちやすいという問題がある。
【０００５】
図７は、通常「スイングポップシール」と呼ばれる販促用シール４（商品情報表示用取付け資材）を商品Ｍに取り付けた状態を示す斜視図であって、販促用シール４は、裏面側に糊面を有するたとえば円形状の貼付け領域５と、貼付け領域５に連続して延びる細長状の連続支持領域６と、連続支持領域６の先端部に形成した、たとえば円形状の情報表示領域７と、を有する。
【０００６】
こうした構成の販促用シール４は、貼付け領域５を商品Ｍの首部Ｍ２の頂部に貼り付け、連続支持領域６が情報表示領域７を商品Ｍの胴体Ｍ１の側面に離反した状態で位置させ、情報表示領域７が商品Ｍのわきに垂れて揺れることにより、商品Ｍの陳列の視認性および訴求効果を期待している。
しかしながら、貼付け領域５を首部Ｍ２の頂部は比較的狭く、この頂部に貼り付ける作業がかなり面倒であるとともに、貼付け領域５の部分からはがれ落ちやすいという問題、さらに情報表示領域７において表示可能な情報量が少ないなどの問題がある。
【０００７】
図８は、通称「首掛けラベル」あるいは「ボトルネッカー」などを呼ばれる販促用シール８（商品情報表示用取付け資材）を商品Ｍに取り付けた状態を示す斜視図であって、販促用シール８は、商品Ｍの首部Ｍ２より若干大きくくり貫いた円形状の首掛け用開口部９を形成し、首掛け用開口部９以外の領域である情報表示領域１０に販促情報を表示可能としている。
【０００８】
こうした構成の販促用シール８は、首掛け用開口部９を首部Ｍ２にかけるとともに情報表示領域１０により商品Ｍの販促情報を表示している。
しかしながら、販促用シール８は、上述の販促用シール１（図６）や販促用シール４（図７）に比較して情報量をより多く表示することができるものの、販売促進用としての視認性および訴求効果の点でやや劣るという問題がある。
【０００９】
さらに、いずれの販促用シール１（図６）、販促用シール４（図７）および販促用シール８（図８）などは、その製造過程において不要な部分を取り去る必要があり、すなわち、その仕上がり製品に資材材料の無駄があり、環境への負荷が大きいという問題がある。
また、それぞれの情報表示領域３、７、１０には、あらかじめ決まった、いわば固定情報を別途印刷しておくもので、商品Ｍの販売および陳列現場において必要に応じた任意の可変情報を印字することが困難で融通性に欠けるという問題がある。
【先行技術文献】
【特許文献】
【００１０】
【特許文献１】特開平１０−３９７５６号公報
【発明の概要】
【発明が解決しようとする課題】
【００１１】
本発明は以上のような諸問題にかんがみなされたもので、より視認性および訴求効果が高い商品情報表示用取付け資材およびその取付け方法を提供することを課題とする。
【００１２】
また本発明は、商品への取付け作業性および取外し作業性に優れた商品情報表示用取付け資材およびその取付け方法を提供することを課題とする。
【００１３】
また本発明は、必要な情報量を表示可能な商品情報表示用取付け資材およびその取付け方法を提供することを課題とする。
【００１４】
また本発明は、製造にあたって無駄になる部分がなく、省資源の観点からも優れた商品情報表示用取付け資材およびその取付け方法を提供することを課題とする。
【００１５】
また本発明は、複数の資材片を連続して帯状の連続体とすることが可能で、任意のプリンタに装填して、現場のニーズに応じてその都度任意の商品情報（可変情報）を印字して表示可能な商品情報表示用取付け資材およびその取付け方法を提供することを課題とする。
【課題を解決するための手段】
【００１６】
すなわち本発明は、資材本体に形成する取付け用開口部の内方部に画成される領域を捨てることなく、そのまま情報表示用（表示用自由揺動領域）として活用することに着目したもので、第一の発明は、商品の商品情報を表示する平面状の資材本体を有し、この商品の取付け部に取り付けることができるようにする取付け用開口部により、この商品に取り付けられる商品情報表示用取付け資材であって、上記資材本体には、上記取付け用開口部を開口形成可能な開口部用切り目と、この開口部用切り目に連続して延びて連続開口部を開口形成可能な連続支持領域用切り目と、を形成するとともに、上記開口部用切り目により上記取付け用開口部の内方部に画成される表示用自由揺動領域と、上記連続支持領域用切り目により上記連続開口部の内方部に画成される連続支持領域と、この連続支持領域を上記資材本体に一体的に接続可能な接続部と、を有することを特徴とする商品情報表示用取付け資材である。
【００１７】
第二の発明は、商品の商品情報を表示する平面状の資材本体を有し、この商品の取付け部に取り付けることができるようにする取付け用開口部により、この商品に取り付けられる商品情報表示用取付け資材の取付け方法であって、上記資材本体には、上記取付け用開口部を開口形成可能な開口部用切り目と、この開口部用切り目に連続して延びて連続開口部を開口形成可能な連続支持領域用切り目と、を形成し、上記開口部用切り目により上記取付け用開口部の内方部に画成される表示用自由揺動領域と、上記連続支持領域用切り目により上記連続開口部の内方部に画成される連続支持領域と、この連続支持領域を上記資材本体に一体的に接続可能な接続部と、を形成し、上記取付け用開口部を上記商品の上記取付け部に取り付けるとともに、上記接続部が、上記資材本体の剛性により上記連続支持領域を介して上記表示用自由揺動領域を上記商品から離した状態で支持可能とすることを特徴とする商品情報表示用取付け資材の取付け方法である。
【００１８】
上記資材本体とともに上記表示用自由揺動領域にも上記商品情報を表示可能としていることができる。
【００１９】
上記資材本体は、これを折り曲げ可能としてあることができる。
【００２０】
上記開口部用切り目は、その始端から終端までの間に一連にこれを形成しているとともに、上記連続支持領域用切り目は、この始端および終端において上記開口部用切り目と連続していることができる。
【００２１】
上記接続部は、上記連続支持領域用切り目の第１の終端から第２の終端までの間にこれを形成していることができる。
【００２２】
上記接続部は、上記資材本体の剛性により上記連続支持領域を介して上記表示用自由揺動領域を支持可能であることができる。
【００２３】
当該商品情報表示用取付け資材を上記商品の上記取付け部に取り付けたときに、上記表示用自由揺動領域が上記連続支持領域により上記商品に対して離反して揺動可能な状態にこれを位置させることが可能であることができる。
【００２４】
上記表示用自由揺動領域は、その裏面側に上記商品情報を表示可能としていることができる。
【００２５】
当該商品情報表示用取付け資材を単葉の資材片として複数枚連続して帯状に形成していることができる。
【００２６】
上記取付け用開口部は、この部分で当該商品情報表示用取付け資材を上記商品の首部に掛けられるようにしていることが一般的であるが、商品の形状ないし形態に応じて任意の部分に取り付けることができる。
【発明の効果】
【００２７】
本発明による商品情報表示用取付け資材およびその取付け方法においては、資材本体に、取付け用開口部による表示用自由揺動領域と、連続開口部による連続支持領域と、この連続支持領域を資材本体に一体的に接続する接続部を形成するようにしたので、資材本体のどの部分（領域）も無駄にすることなく製造可能であるとともに、表示用自由揺動領域が商品から離れた位置に配置されて揺動可能であるとともに、この領域にも商品情報を表示可能であるため、その視認性および訴求効果を発揮することができる。
【００２８】
とくに第一の発明の商品情報表示用取付け資材によれば、資材本体に形成する表示用自由揺動領域、連続支持領域および接続部が一体となって商品の販促情報その他の商品情報を効果的に表示することができる。
【００２９】
とくに第二の発明の商品情報表示用取付け資材の取付け方法によれば、取付け用開口部を商品の取付け部に取り付けることにより、表示用自由揺動領域が商品から離れた位置に配置されて揺動可能であり、その視認性および訴求効果を発揮することができる。
【図面の簡単な説明】
【００３０】
【図１】本発明の第１の実施例による商品情報表示用取付け資材としての、商品Ｍの販促用首掛け用シール２０を説明するものであって、図１（１）は、販促用首掛けシール２０の平面図、図１（２）は、表示用自由揺動領域２４を資材本体２１から引き起こした状態の斜視図である。
【図２】同、販促用首掛けシール２０を商品Ｍの取付け部（首部Ｍ２）に取り付けた状態を示す斜視図である。
【図３】本発明の第２の実施例による販促用首掛けシール４０（商品情報表示用取付け資材）の平面図である。
【図４】同、熱転写プリンタ４５の概略側面図である。
【図５】本発明の第３の実施例による販促用首掛けシール６０の平面図である。
【図６】通称「アイキャッチシール」と呼ばれる販促用シール１（商品情報表示用取付け資材）を商品Ｍに取り付けた状態を示す斜視図である。
【図７】通常「スイングポップシール」と呼ばれる販促用シール４（商品情報表示用取付け資材）を商品Ｍに取り付けた状態を示す斜視図である。
【図８】通称「首掛けラベル」あるいは「ボトルネッカー」などを呼ばれる販促用シール８（商品情報表示用取付け資材）を商品Ｍに取り付けた状態を示す斜視図である。
【発明を実施するための形態】
【００３１】
本発明は、資材本体に形成する取付け用開口部の内方部に画成される表示用自由揺動領域を情報表示用として活用するとともに、この領域を揺動可能としてその視認性および訴求効果を向上させた商品情報表示用取付け資材およびその取付け方法を実現した。
【実施例】
【００３２】
つぎに本発明の第１の実施例による商品情報表示用取付け資材およびその取付け方法を図１および図２にもとづき説明する。ただし、図６ないし図８と同様の部分には同一符号を付し、その詳述はこれを省略する。
図１は、商品情報表示用取付け資材としての、商品Ｍの販促用首掛け用シール２０を説明するものであって、図１（１）は、販促用首掛けシール２０の平面図、図１（２）は、表示用自由揺動領域２４を資材本体２１から引き起こした状態の斜視図である。
【００３３】
販促用首掛けシール２０は、商品Ｍの商品情報を表示する平面状の資材本体２１を有する。
資材本体２１の材料としては、任意の剛性および印刷適性ないし印字適性を有する一般的な紙材はもちろん、合成紙や合成樹脂、さらにはフィルム系基材を採用可能であって、その裏面側に糊面を形成する必要はない。
【００３４】
資材本体２１は、円形状の開口部用切り目２２を形成して、たとえば円形状の取付け用開口部２３を開口形成可能とし、この取付け用開口部２３の内方部に円形状の表示用自由揺動領域２４を画成する。
開口部用切り目２２は、その始端２２Ａから終端２２Ｂまでの間に一連に（ないしは一筆書き式に）これを形成しているもので、表示用自由揺動領域２４の形状としては、円形はもちろん、楕円形、四角形、三角形、星形その他の変形状など任意の形状を採用することができる。
なお、資材本体２１の表面側には任意の商品情報を表示可能としているもので、表示用自由揺動領域２４は、その裏面側に商品情報を表示可能としている。ただし、必要に応じて表示用自由揺動領域２４の表面側にも商品情報を表示可能とすることができる。
上記取付け用開口部２３を商品Ｍの取付け部（首部Ｍ２）に掛けることにより、販促用首掛けシール２０を商品Ｍに取り付けることができるようにしている。
【００３５】
さらに資材本体２１には、互いの間に所定の間隔をあけた互いに平行な左右一対の直線状の連続支持領域用切り目２５を形成して細幅状の連続開口部２６を開口形成可能とし、連続開口部２６の内方部に細幅状の連続支持領域２７を画成する。
連続支持領域用切り目２５は、開口部用切り目２２の始端２２Ａおよび終端２２Ｂにおいて開口部用切り目２２と連続しているとともに、開口部用切り目２２に連続して延びて連続開口部２６を開口形成可能である。
【００３６】
かくして、連続支持領域用切り目２５の第１の終端２５Ａから第２の終端２５Ｂまでの間に切り目がない接続部２８を形成している。
接続部２８は、連続支持領域２７さらには表示用自由揺動領域２４を資材本体２１に一体的に支持可能であり、資材本体２１の剛性により連続支持領域２７を介して表示用自由揺動領域２４を揺動可能に支持することになる。
【００３７】
資材本体２１は、商品Ｍの形状や大きさに応じて任意の数の折曲げ線（たとえば図示の例では、第１の折曲げ線２９および第２の折曲げ線３０）の部分でこれを折り曲げ可能とすることにより、商品Ｍへの取付け安定性および視認性を確保しているとともに、上述のように必要な商品情報を表示可能である。
【００３８】
こうした構成の販促用首掛けシール２０を商品Ｍの首部Ｍ２に取り付ける取付け方法について図２にもとづき説明する。
図２は、販促用首掛けシール２０を商品Ｍの取付け部（首部Ｍ２）に取り付けた状態を示す斜視図であって、表示用自由揺動領域２４および連続支持領域２７を資材本体２１の面から引き起こし、首部Ｍ２に取付け用開口部２３を通して販促用首掛けシール２０を掛けると、表示用自由揺動領域２４が連続支持領域２７により商品Ｍに対して離反した状態で、接続部２８の部分からいわゆる片持ち式に支持されて揺動可能にこれを位置させることが可能であって、従来にはない形態（いわば、従来の販促用シール４（図７）および販促用シール８（図８）の長所を複合した形態）の販促用首掛けシール２０とすることができる。
【００３９】
すなわち、取付け用開口部２３を商品Ｍの取付け部（首部Ｍ２）に取り付けるとともに、接続部２８が、資材本体２１の剛性により連続支持領域２７を介して表示用自由揺動領域２４を商品Ｍから離した状態で揺動可能に支持可能とする。
具体的には、表示用自由揺動領域２４が商品Ｍ（資材本体２１）に対して前方に離れた位置でお辞儀をするように位置するとともに、風などによりわずかに揺れ、販促用シール４（図７）と同様の視認性および訴求効果を向上させることができる。
また、資材本体２１の表面側に商品情報を表示するとともに表示用自由揺動領域２４の裏面側にも商品情報を表示可能であり、販促用シール８（図８）と同様に必要な情報量を表示することができる。
なお、表示用自由揺動領域２４の表面あるいは裏面にラミネート加工を施すことにより、さらに視認性を向上させることができる。
【００４０】
さらに商品Ｍの形状に応じて、第１の折曲げ線２９および第２の折曲げ線３０の部分において資材本体２１を折り曲げて、商品Ｍに合わせて取付け姿勢を安定化することができる。なお図２に示した例では、第１の折曲げ線２９と第２の折曲げ線３０との同一面を山折りして資材本体２１をコの字形状に折り曲げたが、第１の折曲げ線２９を反対に折り曲げてもよい。
【００４１】
また、販促用首掛けシール２０は、商品Ｍに糊面により貼り付ける構成ではないので、はがれてしまうことはなく、安定して取り付けておくことができる。
さらに、販促用首掛けシール２０自体には開口部用切り目２２および連続支持領域用切り目２５を形成するだけで捨てる部分がなく、省資源かつ資源の無駄を回避することができる。
なお、商品Ｍの首部Ｍ２以外にも任意の部分に取付け用開口部２３を利用して取り付けることができる。
なおまた、販促用首掛けシール２０を商品Ｍに取り付ける作業としては、表示用自由揺動領域２４を資材本体２１から離すようにお辞儀させるとともに、取付け用開口部２３を商品Ｍの首部Ｍ２に掛けるようにするだけでよいので、取付けおよび取外し作業性は良好である。
【００４２】
本発明による商品情報表示用取付け資材には、必要な商品情報をあらかじめ印刷しておくこともできるとともに基本的には小ロットでの製造が可能であるが、必要に応じて量産用として可変情報を資材本体２１あるいは表示用自由揺動領域２４に印字することもできる。
すなわち図３は、本発明の第２の実施例による販促用首掛けシール４０（商品情報表示用取付け資材）の平面図であって、販促用首掛けシール４０は、既述の販促用首掛けシール２０（図１）と同様の構成を有している単葉の首掛けシール片４１（資材片）を複数枚連続してこれを帯状に形成している。
【００４３】
販促用首掛けシール４０の長さ方向に所定ピッチで切断予定線４２の部分を切断することにより、単葉の首掛けシール片４１を形成可能としている。
【００４４】
販促用首掛けシール４０の裏面側には、切断予定線４２と同様のピッチで位置検出マーク４３をあらかじめ印刷してあり、販促用首掛けシール４０をプリンタ（たとえば熱転写プリンタ４５、図４）に装填して印字する際の位置決めに用いる。
なお、開口部用切り目２２の任意の部位に、所定数のもろい非連続部４４を形成しておくことにより、販促用首掛けシール４０の加工時や、熱転写プリンタ４５内における移送時に首掛けシール片４１における連続支持領域２７および表示用自由揺動領域２４が資材本体２１の面からめくれ上がってしまうなどの支障がないようにすることができる。
首掛けシール片４１の使用時に、このもろい非連続部４４を破いて表示用自由揺動領域２４および連続支持領域２７を資材本体２１から引き起こすことができる。
【００４５】
図４は、熱転写プリンタ４５の概略側面図であって、熱転写プリンタ４５は、販促用首掛けシール４０の供給部４６と、位置検出部４７と、印字部４８と、切断部４９と、を有する。
【００４６】
供給部４６は、帯状の販促用首掛けシール４０をロール状に支持するとともに、位置検出部４７および印字部４８の方向に帯状に繰り出し可能とする。
【００４７】
位置検出部４７は、上記位置検出マーク４３を光学的に検出して印字部４８に対する販促用首掛けシール４０の相対的位置を検出可能とする。
【００４８】
印字部４８は、サーマルヘッド５０と、プラテンローラ５１と、熱転写インクリボン５２の供給軸５３および巻取り軸５４と、を有する。
サーマルヘッド５０およびプラテンローラ５１の間に販促用首掛けシール４０および熱転写インクリボン５２を挟持してプラテンローラ５１の回転駆動により移送し、サーマルヘッド５０により販促用首掛けシール４０に任意の商品情報を印字する。もちろん、販促用首掛けシール４０を表裏逆に移送するなどして、表示用自由揺動領域２４の裏面側にも任意の商品情報を表示可能である。
【００４９】
切断部４９は、帯状の販促用首掛けシール４０の切断予定線４２部分で切断し、単葉の首掛けシール片４１を作成する。
【００５０】
こうした構成の販促用首掛けシール４０および熱転写プリンタ４５によれば、商品Ｍの特性ないし販売状況など必要に応じて販促用首掛けシール４０（首掛けシール片４１）に商品情報（可変情報）を印字することができ、的確なタイミングでの販売促進効果を期待することができる。
【００５１】
図５は、本発明の第３の実施例による販促用首掛けシール６０の平面図であって、販促用首掛けシール６０は、販促用首掛けシール４０（図３）と同様に、単葉の首掛けシール片４１（資材片）に相当する首掛けシール６１（資材片）を複数枚連続してこれを帯状に形成している。
ただし首掛けシール片６１は、それぞれの連続支持領域２７および表示用自由揺動領域２４が帯状の販促用首掛けシール６０の移送方向に沿って位置しているように（とくに連続支持領域２７の基部にあたる接続部２８が下流側に位置しているように）、互いに連続しているもので、その他の構成は販促用首掛けシール４０における首掛けシール４１と同様である。
【００５２】
こうした構成の販促用首掛けシール６０についても、販促用首掛けシール４０と同様に、熱転写プリンタ４５などに装填して必要な可変情報を印字可能である。
また、首掛けシール片６１の連続支持領域２７および表示用自由揺動領域２４が帯状の販促用首掛けシール６０の移送方向に沿って位置しているため、連続支持領域２７および表示用自由揺動領域２４が資材本体２１の面からめくれ上がってしまうなどの支障を回避することができる。開口部用切り目２２にもろい非連続部４４（図３参照）を設けておけばさらに良い。
【符号の説明】
【００５３】
１  販促用シール（従来、図６）
２  貼付け領域
３  情報表示領域
４  販促用シール（従来、図７）
５  貼付け領域
６  連続支持領域
７  情報表示領域
８  販促用シール（従来、図８）
９  首掛け用開口部
１０  情報表示領域
２０  販促用首掛けシール（第１の実施例、商品情報表示用取付け資材、図１）
２１  資材本体
２２  開口部用切り目
２２Ａ  開口部用切り目２２の始端
２２Ｂ  開口部用切り目２２の終端
２３  取付け用開口部
２４  表示用自由揺動領域
２５  連続支持領域用切り目
２５Ａ  連続支持領域用切り目２５の第１の終端
２５Ｂ  連続支持領域用切り目２５の第２の終端
２６  連続開口部
２７  連続支持領域
２８  接続部
２９  第１の折曲げ線
３０  第２の折曲げ線
４０  販促用首掛けシール（第２の実施例、商品情報表示用取付け資材、図３）
４１  首掛けシール片（資材片、商品情報表示用取付け資材）
４２  切断予定線
４３  位置検出マーク
４４  もろい非連続部
４５  熱転写プリンタ（図４）
４６  供給部
４７  位置検出部
４８  印字部
４９  切断部
５０  サーマルヘッド
５１  プラテンローラ
５２  熱転写インクリボン
５３  熱転写インクリボン５２の供給軸
５４  熱転写インクリボン５２の巻取り軸
６０  販促用首掛けシール（第３の実施例、商品情報表示用取付け資材、図５）
６１  首掛けシール（資材片、商品情報表示用取付け資材）
Ｍ    商品
Ｍ１  商品Ｍの胴体
Ｍ２  商品Ｍの首部
【図１】
2012215607.tif 000003
【図２】
2012215607.tif 000004
【図３】
2012215607.tif 000005
【図４】
2012215607.tif 000006
【図５】
2012215607.tif 000007
【図６】
2012215607.tif 000008
【図７】
2012215607.tif 000009
【図８】
2012215607.tif 000010